(57)【特許請求の範囲】
【請求項１】
ユーザを識別するユーザ識別情報を携帯型の記録媒体から読み取る読取手段と、
複数の前記記録媒体から前記ユーザ識別情報がそれぞれ読み取られた場合に、データを格納するために確保される格納先へのアクセスに用いるアクセス情報であって、読み取られた複数の前記ユーザ識別情報に対応付けられたアクセス情報を出力する出力手段と、
前記ユーザ識別情報を読み取るための画面を表示する表示手段であって、当該画面の表示中に前記ユーザ識別情報が前記記録媒体から新たに読み取られた場合に、当該ユーザ識別情報に対応付けられた前記格納先に格納されたデータを表示する画面に遷移させる表示手段と
を備えるシステム。
【請求項２】
前記出力手段は、前記複数のユーザ識別情報のグループ毎に前記アクセス情報を出力し、
前記表示手段は、新たに読み取られた前記ユーザ識別情報が複数のグループに属している場合、当該複数のグループについて出力される複数のアクセス情報を用いてアクセスされる複数の前記格納先に格納されたデータを表示する画面に遷移させる
請求項１に記載のシステム。
【請求項３】
ユーザを識別するユーザ識別情報と、データを格納するために確保される格納先へのアクセスに用いるアクセス情報の出力先であり且つ当該ユーザ識別情報に対応付けられた出力先を表す出力先情報とを携帯型の記録媒体から読み取る読取手段と、
複数の前記記録媒体から前記ユーザ識別情報及び前記出力先情報がそれぞれ読み取られた場合に、読み取られた複数の前記ユーザ識別情報に対応付けられたアクセス情報を、読み取られた前記出力先情報が表す出力先に対して出力する出力手段と
を備えるシステム。
【請求項４】
前記出力手段は、前記格納先にデータが格納された場合に、読み取られた複数の前記出力先情報が表す出力先のうち、当該データを格納したユーザのユーザ識別情報に対応付けられた出力先を除いた出力先に対して前記アクセス情報を出力する
請求項３に記載のシステム。
【請求項５】
ユーザを識別するユーザ識別情報を携帯型の記録媒体から読み取る読取手段と、
複数の前記ユーザ識別情報に対応付けられるグループ識別情報の入力を受け付ける受付手段と、
複数の前記記録媒体から前記ユーザ識別情報がそれぞれ読み取られた場合に、当該複数のユーザ識別情報に対応付けられるグループ識別情報をユーザに提示する提示手段と、
前記グループ識別情報がユーザに提示された場合に、データを格納するために確保される格納先へのアクセスに用いられ且つ当該グループ識別情報に対応付けられたアクセス情報を出力する出力手段であって、提示された前記グループ識別情報の入力の受け付けと共に前記複数のユーザ識別情報とは別のユーザ識別情報の読み取りが後から行われた場合に、当該別のユーザ識別情報をさらに対応付けた前記グループ識別情報に対応付けられた前記アクセス情報を出力する出力手段と
を備えるシステム。
【請求項６】
コンピュータを、
ユーザを識別するユーザ識別情報を携帯型の記録媒体から読み取る読取手段と、
複数の前記記録媒体から前記ユーザ識別情報がそれぞれ読み取られた場合に、データを格納するために確保される格納先へのアクセスに用いるアクセス情報であって、読み取られた複数の前記ユーザ識別情報に対応付けられたアクセス情報を出力する出力手段と、
前記ユーザ識別情報を読み取るための画面を表示する表示手段であって、当該画面の表示中に前記ユーザ識別情報が前記記録媒体から新たに読み取られた場合に、当該ユーザ識別情報に対応付けられた前記格納先に格納されたデータを表示する画面に遷移させる表示手段
として機能させるためのプログラム。
【請求項７】
コンピュータを、
ユーザを識別するユーザ識別情報と、データを格納するために確保される格納先へのアクセスに用いるアクセス情報の出力先であり且つ当該ユーザ識別情報に対応付けられた出力先を表す出力先情報とを携帯型の記録媒体から読み取る読取手段と、
複数の前記記録媒体から前記ユーザ識別情報及び前記出力先情報がそれぞれ読み取られた場合に、読み取られた複数の前記ユーザ識別情報に対応付けられたアクセス情報を、読み取られた前記出力先情報が表す出力先に対して出力する出力手段
として機能させるためのプログラム。
【請求項８】
コンピュータを、
ユーザを識別するユーザ識別情報を携帯型の記録媒体から読み取る読取手段と、
複数の前記ユーザ識別情報に対応付けられるグループ識別情報の入力を受け付ける受付手段と、
複数の前記記録媒体から前記ユーザ識別情報がそれぞれ読み取られた場合に、当該複数のユーザ識別情報に対応付けられるグループ識別情報をユーザに提示する提示手段と、
前記グループ識別情報がユーザに提示された場合に、データを格納するために確保される格納先へのアクセスに用いられ且つ当該グループ識別情報に対応付けられたアクセス情報を出力する出力手段であって、提示された前記グループ識別情報の入力の受け付けと共に前記複数のユーザ識別情報とは別のユーザ識別情報の読み取りが後から行われた場合に、当該別のユーザ識別情報をさらに対応付けた前記グループ識別情報に対応付けられた前記アクセス情報を出力する出力手段
として機能させるためのプログラム。
【発明の詳細な説明】
【技術分野】
【０００１】
本発明は、システム及びプログラムに関する。
【背景技術】
【０００２】
特許文献１には、複数のユーザがデータを共有するための技術が記載されている。この技術では、まず、撮影済みのフィルムを店舗に持ち込んだグループ代表者の情報を店員がサーバに入力し、そのサーバによってグループＩＤ、閲覧／注文用ＩＤ及び閲覧／注文用パスワードが発行される。グループ代表者は、閲覧／注文用ＩＤ、閲覧／注文用パスワード及び店舗のＵＲＬ（Uniform Resource Locator）をグループの他のメンバに伝える。メンバは、伝えられたＵＲＬに携帯電話機でアクセスして閲覧／注文用ＩＤ及び閲覧／注文用パスワードを入力することで、フィルムをスキャンして生成された画像データを表示させる。
【先行技術文献】
【特許文献】
【０００３】
【特許文献１】特開２００２−４１９１０号公報
【発明の概要】
【発明が解決しようとする課題】
【０００４】
ここで、共有するデータへのアクセスに用いる情報（閲覧／注文用ＩＤ等）とそのデータを共有するユーザ（他のメンバ）との結び付けが、グループ代表者や管理者等による他のメンバへの伝達によって行われる場合、それらグループ代表者や管理者等にとって煩雑となる。
本発明は、複数のユーザがデータを共有する際に、携帯型の記録媒体を用いてのユーザ識別情報の入手とそのユーザ識別情報及びアクセス情報の対応付けとを行うことを目的とする。
【課題を解決するための手段】
【０００５】
本発明の請求項１に係るシステムは、ユーザを識別するユーザ識別情報を携帯型の記録媒体から読み取る読取手段と、複数の前記記録媒体から前記ユーザ識別情報がそれぞれ読み取られた場合に、データを格納するために確保される格納先へのアクセスに用いるアクセス情報であって、読み取られた複数の前記ユーザ識別情報に対応付けられたアクセス情報を出力する出力手段と、前記ユーザ識別情報を読み取るための画面を表示する表示手段であって、当該画面の表示中に前記ユーザ識別情報が前記記録媒体から新たに読み取られた場合に、当該ユーザ識別情報に対応付けられた前記格納先に格納されたデータを表示する画面に遷移させる表示手段とを備えることを特徴とする。
【０００６】
本発明の請求項２に係るシステムは、請求項１に記載の構成において、前記出力手段は、前記複数のユーザ識別情報のグループ毎に前記アクセス情報を出力し、前記表示手段は、新たに読み取られた前記ユーザ識別情報が複数のグループに属している場合、当該複数のグループについて出力される複数のアクセス情報を用いてアクセスされる複数の前記格納先に格納されたデータを表示する画面に遷移させることを特徴とする。
【０００７】
本発明の請求項３に係るシステムは、ユーザを識別するユーザ識別情報と、データを格納するために確保される格納先へのアクセスに用いるアクセス情報の出力先であり且つ当該ユーザ識別情報に対応付けられた出力先を表す出力先情報とを携帯型の記録媒体から読み取る読取手段と、複数の前記記録媒体から前記ユーザ識別情報及び前記出力先情報がそれぞれ読み取られた場合に、読み取られた複数の前記ユーザ識別情報に対応付けられたアクセス情報を、読み取られた前記出力先情報が表す出力先に対して出力する出力手段とを備えることを特徴とする。
【０００８】
本発明の請求項４に係るシステムは、請求項３に記載の構成において、前記出力手段は、前記格納先にデータが格納された場合に、読み取られた複数の前記出力先情報が表す出力先のうち、当該データを格納したユーザのユーザ識別情報に対応付けられた出力先を除いた出力先に対して前記アクセス情報を出力することを特徴とする。
【０００９】
本発明の請求項５に係るシステムは、ユーザを識別するユーザ識別情報を携帯型の記録媒体から読み取る読取手段と、複数の前記ユーザ識別情報に対応付けられるグループ識別情報の入力を受け付ける受付手段と、複数の前記記録媒体から前記ユーザ識別情報がそれぞれ読み取られた場合に、当該複数のユーザ識別情報に対応付けられるグループ識別情報をユーザに提示する提示手段と、前記グループ識別情報がユーザに提示された場合に、データを格納するために確保される格納先へのアクセスに用いられ且つ当該グループ識別情報に対応付けられたアクセス情報を出力する出力手段であって、提示された前記グループ識別情報の入力の受け付けと共に前記複数のユーザ識別情報とは別のユーザ識別情報の読み取りが後から行われた場合に、当該別のユーザ識別情報をさらに対応付けた前記グループ識別情報に対応付けられた前記アクセス情報を出力する出力手段とを備えることを特徴とする。
【００１０】
本発明の請求項６に係るプログラムは、コンピュータを、ユーザを識別するユーザ識別情報を携帯型の記録媒体から読み取る読取手段と、複数の前記記録媒体から前記ユーザ識別情報がそれぞれ読み取られた場合に、データを格納するために確保される格納先へのアクセスに用いるアクセス情報であって、読み取られた複数の前記ユーザ識別情報に対応付けられたアクセス情報を出力する出力手段と、前記ユーザ識別情報を読み取るための画面を表示する表示手段であって、当該画面の表示中に前記ユーザ識別情報が前記記録媒体から新たに読み取られた場合に、当該ユーザ識別情報に対応付けられた前記格納先に格納されたデータを表示する画面に遷移させる表示手段として機能させることを特徴とする。
本発明の請求項７に係るプログラムは、コンピュータを、ユーザを識別するユーザ識別情報と、データを格納するために確保される格納先へのアクセスに用いるアクセス情報の出力先であり且つ当該ユーザ識別情報に対応付けられた出力先を表す出力先情報とを携帯型の記録媒体から読み取る読取手段と、複数の前記記録媒体から前記ユーザ識別情報及び前記出力先情報がそれぞれ読み取られた場合に、読み取られた複数の前記ユーザ識別情報に対応付けられたアクセス情報を、読み取られた前記出力先情報が表す出力先に対して出力する出力手段として機能させることを特徴とする。
本発明の請求項８に係るプログラムは、コンピュータを、ユーザを識別するユーザ識別情報を携帯型の記録媒体から読み取る読取手段と、複数の前記ユーザ識別情報に対応付けられるグループ識別情報の入力を受け付ける受付手段と、複数の前記記録媒体から前記ユーザ識別情報がそれぞれ読み取られた場合に、当該複数のユーザ識別情報に対応付けられるグループ識別情報をユーザに提示する提示手段と、前記グループ識別情報がユーザに提示された場合に、データを格納するために確保される格納先へのアクセスに用いられ且つ当該グループ識別情報に対応付けられたアクセス情報を出力する出力手段であって、提示された前記グループ識別情報の入力の受け付けと共に前記複数のユーザ識別情報とは別のユーザ識別情報の読み取りが後から行われた場合に、当該別のユーザ識別情報をさらに対応付けた前記グループ識別情報に対応付けられた前記アクセス情報を出力する出力手段として機能させることを特徴とする。
【発明の効果】
【００１１】
請求項１〜８に係る発明によれば、複数のユーザがデータを共有する際に、携帯型の記録媒体を用いてのユーザ識別情報の入手とそのユーザ識別情報及びアクセス情報の対応付けとを行うことができる。
請求項１、２に係る発明によれば、アクセス情報でのアクセスしかされない場合に比べて、異なる組のユーザ同士でデータを共有しているユーザによる共有可能なデータへのアクセスを容易にすることができる。
請求項３、７に係る発明によれば、出力先情報が表す出力先に出力された情報を参照可能な装置による格納先へのアクセスを、その出力先へのアクセス情報の出力が行われない場合に比べて容易にすることができる。
請求項４に係る発明によれば、ユーザが格納先に画像データを格納したときに、そのデータを共有する他のユーザがそのことに気付かないということを防ぐことができる。
【図面の簡単な説明】
【００１２】
【図１】情報処理システムの全体構成を表す図
【図２】画像処理装置のハードウェア構成を表す図
【図３】画像格納装置のハードウェア構成を表す図
【図４】ユーザ装置のハードウェア構成を表す図
【図５】情報処理システムで実現される機能構成を表す図
【図６】ＩＣカードに記録されている情報の一例を表す図
【図７】制御テーブルの一例を表す図
【図８】画像データが格納されるまでに表示される画像の例を表す図
【図９】画像データに対する処理が行われるまでに表示される画像の例を表す図
【図１０】ユーザ識別情報を用いたアクセスが行われる場合に表示される画像の例を表す図
【図１１】ＵＲＬを用いたアクセスが行われる場合に表示される画像の例を表す図
【図１２】画像データが格納されるまでの動作の手順の一例を表す図
【図１３】変形例の制御テーブルの一例を表す図
【図１４】変形例で実現される機能構成の例を表す図
【発明を実施するための形態】
【００１３】
［１］実施形態
［１−１］構成
図１は情報処理システム１の全体構成を表す。情報処理システム１は、グループに属する複数のユーザによるデータの共有を支援するシステムである。情報処理システム１は、画像処理装置１０−１及び１０−２（区別しない場合は「画像処理装置１０」という）と、画像格納装置２０と、ユーザ装置３０と、これらの装置が接続された通信回線２と、ＩＣ（Integrated Circuit）カード３と、デジタルカメラ４とを備える。
【００１４】
通信回線２は、インターネット及び移動体通信網等を含むシステムであり、自システムに接続する装置同士のデータのやり取りを仲介する。ＩＣカード３は、カードリーダ等の読取手段により読み取り可能な情報が記録されている携帯型の記録媒体であり、カードの形をしているためユーザが財布などに入れて持ち運べるようになっている。ＩＣカード３には、例えば電子決済に用いられる情報が記録されている。デジタルカメラ４は、写真を撮影する撮影手段であり、撮影した写真を表す画像データを外部に出力することができる。この出力は、ケーブルを用いた有線で行われてもよいし、Ｂｌｕｅｔｏｏｔｈ（登録商標）等の無線通信により行われてもよい。また、図示せぬメモリーキーなどを介して行われてもよい。
【００１５】
画像処理装置１０は、画像データを用いた処理を行う装置である。画像処理装置１０は、例えば画像データが表す画像を表示したり、その画像を用紙等に形成したりする処理を行う。画像処理装置１０は、例えばコンビニエンスストアなどのユーザが訪問可能な施設に設置されており、その施設を訪れたユーザによって利用される。画像処理装置１０は、前述した読取手段を備えており、ユーザがＩＣカード３を読取手段にかざすことで、そのＩＣカード３に記録されている情報を読み取る。また、画像処理装置１０は、例えばデジタルカメラ４から出力された画像データを受け取り、受け取った画像データを画像格納装置２０に送信する。
【００１６】
画像格納装置２０は、画像処理装置１０から送信されてきた画像データを自装置の記憶領域に格納する装置である。この記憶領域は、いわゆるクラウドコンピューティングの形態で提供される。つまり、画像格納装置２０は、クラウドコンピューティングサービスを提供するシステムが備える装置のうちの１つである。画像格納装置２０は、画像データの格納先である自装置の記憶領域に外部装置がアクセスしてくると、その外部装置から送信されてくる画像データをその記憶領域に格納したり、格納した画像データを読み出して外部装置に送信したりする。格納先にアクセスする外部装置とは、例えば画像処理装置１０やユーザ装置３０である。
【００１７】
ユーザ装置３０は、ユーザが利用する装置であり、例えばパーソナルコンピュータやタブレット端末などである。ユーザ装置３０は、例えばユーザの操作に基づいて画像格納装置２０の格納先にアクセスし、格納先に格納された画像データが表す画像を表示する。
或るユーザがデジタルカメラ４で撮影した写真を表す画像データを画像格納装置２０に画像処理装置１０を介して格納すると、他のユーザは画像処理装置１０やユーザ装置３０を操作して、格納先に格納されている画像データが表す写真を表示させたりその画像データを用紙等に形成させたりする。情報処理システム１においてはそのようにして画像データが共有される。
【００１８】
図２は画像処理装置１０のハードウェア構成を表す。画像処理装置１０は、制御部１１と、記憶部１２と、通信部１３と、表示部１４と、操作部１５と、画像形成部１６と、カードリーダ部１７と、Ｉ／Ｆ（Interface：インターフェース）部１８とを有するコンピュータである。制御部１１は、ＣＰＵ（Central Processing Unit）やＲＡＭ（Random Access Memory）、ＲＯＭ（Read Only Memory）を有する。制御部１１は、ＣＰＵがＲＯＭや記憶部１２に記憶されているプログラムを実行することで、各部の動作を制御する。記憶部１２は、不揮発メモリであり、各種プログラムやデータを記憶する。通信部１３は、通信回線２を介してデータ通信を行う通信インターフェースとして機能する。
【００１９】
表示部１４は、文字列や画像を表示するディスプレイ装置を備えている。操作部１５は、画像処理装置１０を操作するための操作子等を有する。画像形成部１６は、用紙等に画像を形成する手段であり、例えば、イエロー（Ｙ）、マゼンタ（Ｍ）、シアン（Ｃ）及びブラック（Ｋ）の４色のトナーを用いて電子写真方式で用紙等に画像を形成する。カードリーダ部１７は、ＮＦＣ（Near field communication）の無線通信を行う機能を有し、この無線通信が可能な距離まで近づいたＩＣカード３と無線通信を行う。カードリーダ部１７は、この無線通信によりＩＣカード３が記憶している情報を読み取り、読み取った情報を制御部１１に供給する。Ｉ／Ｆ部１８は、デジタルカメラ４とデータをやり取りするためのインターフェースである。
【００２０】
図３は画像格納装置２０のハードウェア構成を表す。画像格納装置２０は、制御部２１と、記憶部２２と、通信部２３とを備えるコンピュータである。これらは、図２に示す同名の各部と共通のハードウェアである。
図４はユーザ装置３０のハードウェア構成を表す。ユーザ装置３０は、制御部３１と、記憶部３２と、通信部３３と、表示部３４と、操作部３５とを備えるコンピュータである。これらは、図２に示す同名の各部と共通のハードウェアである。
【００２１】
上記各装置の制御部が自装置の記憶部に記憶されているプログラムをそれぞれ実行することで、図５に示す機能が実現される。
図５は情報処理システム１で実現される機能構成を表す。画像処理装置１０は、読取手段１０１と、要求手段１０２と、提示手段１０３と、アクセス手段１０４とを備える。画像格納装置２０は、決定手段２０１と、出力手段２０２と、アクセス制御手段２０３とを備える。ユーザ装置３０は、提示手段３０１と、アクセス手段３０２とを備える。
【００２２】
読取手段１０１は、ユーザを識別するユーザ識別情報を携帯型の記録媒体から読み取る手段である。本実施形態ではＩＣカード３が携帯型の記録媒体として用いられる。
図６はＩＣカード３に記録されている情報の一例を表す。図６の例では、ＩＣカード３にカードＩＤが記録されている。カードＩＤは、ＩＣカード３を識別するための情報であり、例えば十数ケタの数字で表される。ただし、以下では説明を分かり易くするため、カードＩＤを図６に表す「Ｃ００１」のように簡単に表すものとする。カードＩＤは、例えばカード会社等によってユーザ個人に対応付けて発行されるので、ユーザを識別するユーザ識別情報として用いられる。読取手段１０１は、図２に表すカードリーダ部１７にＩＣカード３がかざされることで、ＩＣカード３に記録されているカードＩＤをユーザ識別情報として読み取る。
【００２３】
ＩＣカード３には、カードＩＤの他に、カードＩＤに対応付けられたユーザの氏名及びメールアドレスが記録されている。このメールアドレスは、後述する出力手段２０２が情報を出力する相手、すなわち出力先を表す情報（以下「出力先情報」という）として用いられる。読取手段１０１は、図６に表す各情報を読み取ることで、ユーザ識別情報であるカードＩＤとともに、それに対応付けられた出力先情報であるメールアドレスを読み取る。読取手段１０１は、読み取ったカードＩＤ及びメールアドレスを要求手段１０２に供給し、カードＩＤをアクセス手段１０４に供給する。
【００２４】
要求手段１０２は、画像データを格納するための格納先を決定するように画像格納装置２０に対して要求する手段である。要求手段１０２は、複数のＩＣカード３からユーザ識別情報がそれぞれ読み取られた場合に、それらの複数のユーザ識別情報に対応付けられた格納先を決定するように要求を行う。要求手段１０２は、読取手段１０１から複数のカードＩＤ及びそれらに対応する複数のメールアドレスが供給されると、それらの情報と、複数のカードＩＤに対応付けられた格納先の決定を要求することとを表す要求データを画像格納装置２０に対して送信する。この要求データは、画像格納装置２０の決定手段２０１に供給される。
【００２５】
決定手段２０１は、複数のユーザ識別情報に対応付けられた格納先を決定する手段である。決定手段２０１は、上記の要求データが供給されると、自装置の記憶部２２に新たなフォルダを生成し、生成したフォルダを、この要求データが表す複数のカードＩＤに対応付けられた格納先として決定する。決定手段２０１は、こうして格納先として決定したフォルダへのパス（フォルダの所在を表す文字列）を表すパス情報と、要求データが表す複数のカードＩＤ及び複数のメールアドレスとを出力手段２０２に供給する。
【００２６】
出力手段２０２は、画像データを格納するために確保される格納先へのアクセスに用いる情報（以下「アクセス情報」という）を出力する手段である。出力手段２０２は、読取手段１０１によって読み取られた複数のユーザ識別情報に対応付けられたアクセス情報を出力する。出力手段２０２は、本実施形態では、前述した複数のカードＩＤ（この場合のユーザ識別情報）に対応付けられたパス情報と、このパス情報が表すフォルダにアクセスするためのＵＲＬとをアクセス情報として出力する。
【００２７】
また、出力手段２０２は、アクセス情報に加え、複数のカードＩＤにより識別される複数のユーザのグループを識別するグループ識別情報を出力する。出力手段２０２は、決定手段２０１から複数のカードＩＤが供給されると、それら複数のカードＩＤに対応するグループ識別情報を生成する。グループ識別情報としては、例えば通し番号を含むグループＩＤが用いられる。出力手段２０２は、生成済みのグループＩＤに含まれる通し番号のうちの最大のものに１を加えた番号を含むグループＩＤをグループ識別情報として生成する。
【００２８】
出力手段２０２は、上記のアクセス情報及びグループ識別情報を、例えば後述するアクセス制御手段２０３が記憶する制御テーブルに対して出力する。
図７は制御テーブルの一例を表す。この制御テーブルには、グループＩＤ、カードＩＤ、パス情報及びＵＲＬが互いに対応付けて格納されている。例えば「Ｇ００１」というグループＩＤには「Ｃ００１」、「Ｃ００２」、「Ｃ００３」という３つのカードＩＤと、パス情報及びＵＲＬが１つずつ対応付けられている。また、「Ｇ００２」というグループＩＤには「Ｃ００１」、「Ｃ００４」という２つのカードＩＤと、パス情報及びＵＲＬが１つずつ対応付けられている。
【００２９】
出力手段２０２は、上記のとおり生成したグループＩＤ（つまりグループ識別情報）と、そのグループＩＤに対応する複数のカードＩＤ（つまり複数のユーザ識別情報）と、それらのカードＩＤに対応するパス情報及びＵＲＬ（つまりアクセス情報）とをこの制御テーブルに対して出力する。出力手段２０２が複数のカードＩＤも出力するのは、アクセス情報がこれらのカードＩＤに対応付けられていることが制御テーブルで表されるようにするためである。
他にも、出力手段２０２は、画像処理装置１０に対してグループ識別情報であるグループＩＤを出力する。また、出力手段２０２は、決定手段２０１から供給された複数のメールアドレス、すなわち読取手段１０１により読み取られた複数の出力先情報が表す出力先に対しては、アクセス情報であるＵＲＬを電子メールに含めて出力する。
【００３０】
画像処理装置１０に対して出力されたグループＩＤは、提示手段１０３に供給される。提示手段１０３は、出力されてきたグループ識別情報をユーザに提示する手段である。提示手段１０３は、供給されたグループＩＤを表示部１４に表示させることでユーザに提示する。なお、提示手段１０３は、供給されたグループＩＤを画像形成部１６で用紙に形成させることでユーザに提示してもよい。
【００３１】
出力先情報が表す出力先に対して出力されたグループＩＤは、例えばユーザがユーザ装置３０のメールソフトを起動させることで、提示手段３０１に供給される。提示手段３０１も、出力されてきたグループ識別情報をユーザに提示する手段である。提示手段３０１は、出力先となったメールアドレスで受信されたメールを表示することで、グループＩＤをユーザに提示する。
【００３２】
アクセス手段１０４は、上記のとおり決定された格納先にアクセスする手段である。このアクセスについて、表示される画像を参照しながら説明する。
図８は画像データが格納されるまでに表示される画像の例を表す。図８（ａ）では、ユーザがＩＣカード３をかざすときに表示される画像が表されている。画像Ａ１は、情報が読み取られたＩＣカード３の枚数を表している。画像Ａ２は、グループに属するユーザ全員のＩＣカード３の読み取りが終わったことを確定するための操作子を表している。ユーザがこの画像Ａ２を操作すると、要求手段１０２による要求、決定手段２０１による格納先の決定及び出力手段２０２によるグループＩＤの出力が行われる。
【００３３】
そして、提示手段１０３が、図８（ｂ）に表すようにグループＩＤ（この例では「Ｇ００１」）を表す画像Ａ３を表示してグループＩＤをユーザに提示する。図８（ｂ）では、「画像データを格納しますか？」という文字列と、「はい」を表す画像Ａ４と、「いいえ」を表す画像Ａ５も表示されている。ユーザが画像Ａ５を選択すると画像データが格納されることなくユーザの操作が終了する。一方、ユーザが画像Ａ４を選択すると、提示手段１０３はグループＩＤをアクセス手段１０４に供給する。
【００３４】
そのあと、例えば図２に表すＩ／Ｆ部１８を介してデジタルカメラ４が画像処理装置１０に接続されると、図８（ｃ）に表すようにデジタルカメラ４に記憶されている写真の一覧が表示され、ユーザに格納する写真を選択させる画像が表示される。ユーザが格納したい写真を選択し、図８（ｃ）に表す「格納する」という文字列を表す画像Ａ６を操作すると、アクセス手段１０４は、選択された写真を表す画像データと、提示手段１０３から供給されたグループＩＤとを画像格納装置２０に対して送信する。そのあと、画像処理装置１０は、図８（ｄ）に表すように画像データが格納されたことを表す画像を表示する。
【００３５】
画像格納装置２０が受信した画像データ及びグループＩＤはアクセス制御手段２０３に供給される。アクセス制御手段２０３は、画像データを格納するために確保された格納先へのアクセスを制御する手段である。アクセス制御手段２０３は、上述したように出力手段２０２から出力されたグループＩＤ、複数のカードＩＤ、パス情報及びＵＲＬを、その出力先である制御テーブルに反映する。アクセス制御手段２０３は、アクセス手段１０４から送信されてきたグループＩＤが制御テーブルに含まれている場合には、そのグループＩＤに制御テーブルで対応付けられているパス情報が表すフォルダに、ともに送信されてきた画像データを格納する。図８（ｄ）に表す画像は、この格納が完了したことをアクセス制御手段２０３が画像処理装置１０に通知することで表示される。
【００３６】
アクセス手段１０４は、以上のとおり格納先にアクセスして画像データを格納させる。この例では、グループＩＤを用いてアクセスが行われており、このグループＩＤは図８（ｂ）の画像Ａ４を選択するユーザの操作によって指定されている。このように、アクセス手段１０４は、ユーザの操作によりグループ識別情報が指定された場合に、そのグループ識別情報を用いて格納先にアクセスする。図８の例では画像データを格納するためのアクセス手段１０４が格納先にアクセスしたが、格納された画像データに対する処理を行うためのアクセスも行われる。
【００３７】
図９は画像データに対する処理が行われるまでに表示される画像の例を表す。図９（ａ）では、グループＩＤを指定する操作を行ったときに表示される画像Ａ１１が表されている。この例では「Ｇ００２」というグループＩＤが指定されている。アクセス手段１０４は、指定されたグループＩＤに対応する格納先に格納された画像データの送信を要求する要求データを画像格納装置２０に送信する。この要求データはアクセス制御手段２０３に供給され、アクセス制御手段２０３は、供給された要求データが表すグループＩＤが制御テーブルに含まれている場合には、そのグループＩＤに制御テーブルで対応付けられているパス情報が表すフォルダに格納されている画像データを画像処理装置１０に対して送信する。
【００３８】
図９（ｂ）では、そうして送信されてきた画像データが表す写真の一覧と、「印刷する」という文字列を表す画像Ａ１２が表示されている。ユーザが写真を選択して画像Ａ１２を操作すると、選択された写真が用紙等に形成される。なお、この例では画像データに対して用紙等に画像を形成する処理が行われたが、他にも、画像処理装置１０に接続したメモリーキーなどの記憶手段に記憶させる処理が行われてもよいし、指定されたメールアドレスに画像データを添付したメールを送信する処理が行われてもよい。アクセス手段１０４は、この場合も、ユーザの操作により指定されたグループ識別情報を用いて格納先にアクセスする。
【００３９】
また、グループ識別情報ではなく、ユーザ識別情報を用いたアクセスも行われる。この場合、アクセス手段１０４は、例えば、携帯型の記憶媒体からユーザ識別情報が新たに読み取られた場合に、そのユーザ識別情報に対応付けられた格納先にアクセスする。
図１０はユーザ識別情報を用いたアクセスが行われる場合に表示される画像の例を表す。図１０（ａ）では、「ＩＣカードをかざしてください」という文字列と、その結果読み取られたカードＩＤ（この例では「Ｃ００１」）を表す画像Ａ２１とが表示されている。アクセス手段１０４は、こうして読み取られたカードＩＤに対応する格納先に格納された画像データの送信を要求する要求データを画像格納装置２０に送信する。
【００４０】
アクセス制御手段２０３は、供給された要求データが表すカードＩＤが制御テーブルに含まれている場合には、そのカードＩＤに制御テーブルで対応付けられているパス情報が表すフォルダに格納されている画像データを画像処理装置１０に対して送信する。図８に表す制御テーブルが用いられた場合、「Ｃ００１」というカードＩＤには２つのパス情報が対応付けられているので、それらによって表される２つのフォルダに格納されている画像データが送信される。図１０（ｂ）ではこうして送信されてきた画像データが表す写真の一覧が表示されている。この一覧は、Ｇ００１及びＧ００２の２つのグループＩＤに対応する写真を合わせたものになっている。
【００４１】
また、ＵＲＬを用いたアクセスも行われる。このアクセスは、例えばユーザ装置３０のアクセス手段３０２によって行われる。
図１１はＵＲＬを用いたアクセスが行われる場合に表示される画像の例を表す。図１１（ａ）では、メールソフトの受信ボックスに届いた電子メールの画像が表示されている。これは、上述した出力手段２０２が出力先情報であるメールアドレスに対して出力したＵＲＬを含む電子メールである。この電子メールには、格納先のＵＲＬへのハイパーリンクが張られた画像Ａ３１が含まれている。ユーザが画像Ａ３１を操作すると、アクセス手段３０２は、ブラウザを起動し、画像Ａ３１に対応付けられたＵＲＬを宛先としてＨＴＴＰ（Hypertext Transfer Protocol）リクエストを送信する。
【００４２】
このＨＴＴＰリクエストはアクセス制御手段２０３に供給され、アクセス制御手段２０３は、供給されたＨＴＴＰリクエストに含まれるＵＲＬが表すフォルダに格納されている画像データを含むＨＴＴＰレスポンスを画像処理装置１０に対して送信する。その結果、ユーザ装置３０のブラウザには、図１１（ｂ）に表すように「Ｇ００１」というグループＩＤに対応する画像データが表す写真の一覧が表示される。以上のとおり、格納先へのアクセスは、グループ識別情報、ユーザ識別情報及びアクセス情報という３つの情報のいずれか１つを用いて行われる。アクセス手段１０４及びアクセス手段３０２は、いずれも、これら３つの情報を用いたアクセスを行う。
【００４３】
［１−２］動作
情報処理システム１が備える各装置は、画像データを複数のユーザが共有するための共有処理を行う。この共有処理において各装置が行う動作の手順について説明する。
図１２は画像データが格納されるまでの動作の手順の一例を表す。この手順は、画像処理装置１０に対してユーザがグループの登録を開始する操作を行うことを契機に開始される。まず、画像処理装置１０は、例えば図８（ａ）に表すグループの登録用の画像を表示する（ステップＳ１１）。
【００４４】
この例では、３人のユーザが所持するＩＣカード３であるＩＣカードＡ、Ｂ及びＣがそれぞれ画像処理装置１０のカードリーダ部１７にかざされ、各ＩＣカード３からカードＩＤ及びメールアドレスが画像処理装置１０に送信される（ステップＳ１２、Ｓ１３及びＳ１４）。次に、ユーザがＩＣカードからの読み取りを終了させる操作（例えば図８（ａ）の画像Ａ２を選択する操作）を行うと、画像処理装置１０は、その操作を受け付け（ステップＳ１５）、ステップＳ１２からＳ１４までで受信したカードＩＤと、格納先の決定の要求とを表す要求データを画像格納装置２０に送信する（ステップＳ１６）。ステップＳ１１からＳ１４までの動作は読取手段１０１が行い、ステップＳ１５及びＳ１６の動作は要求手段１０２が行う。
【００４５】
画像格納装置２０は、ステップＳ１６で要求データを受信すると、その要求データが表す複数のカードＩＤに対応する格納先を決定する（ステップＳ２１）。次に、画像格納装置２０は、複数のカードＩＤに対応するグループＩＤを生成する（ステップＳ２２）。続いて、画像格納装置２０は、それらのＩＤ及び決定した格納先へのアクセスに用いるアクセス情報を例えば図７に表す制御テーブルに対して出力し（ステップＳ２３）、出力した各情報を制御テーブルに反映させる（ステップＳ２４）。また、画像格納装置２０は、生成したグループＩＤを画像処理装置１０に対して出力する（ステップＳ２５）。ステップＳ２１の動作は決定手段２０１が行い、ステップＳ２２、Ｓ２３、Ｓ２５の動作は出力手段２０２が行う。また、ステップＳ２４の動作はアクセス制御手段２０３が行う。
【００４６】
画像処理装置１０は、ステップＳ２５でグループＩＤを受け取ると、そのグループＩＤをユーザに提示する（ステップＳ３１）。提示されたグループＩＤを指定する操作をユーザが行うと、画像処理装置１０はその操作を受け付け（ステップＳ３２）、この例ではデジタルカメラ４からＩ／Ｆ部１８を介して供給される画像データを受け取る（ステップＳ３３）。画像処理装置１０は、受け取った画像データと指定されたグループＩＤとを画像格納装置２０に送信する（ステップＳ３４）。ステップＳ３１及びＳ３２の動作は提示手段１０３が行い、ステップＳ３３及びＳ３４の動作はアクセス手段１０４が行う。
【００４７】
画像格納装置２０は、ステップＳ３４で画像データ及びグループＩＤを受信すると、そのグループＩＤに制御テーブルで対応付けられているアクセス情報が表す格納先に画像データを格納し（ステップＳ３５）、格納が完了した旨を画像処理装置１０に対して通知する（ステップＳ３６）。画像処理装置１０は、この通知を受け取ると、例えば図８（ｄ）に表す画像を表示して、画像データの格納が完了したことをユーザに提示する（ステップＳ３７）。ステップＳ３５及びＳ３６の動作はアクセス制御手段２０３が行いステップＳ３７の動作はアクセス手段１０４が行う。
【００４８】
例えば複数のユーザがデータを共有する場合に、共有するデータの格納先を決めてその格納先のＵＲＬ等を各ユーザに電子メール等で連絡する方法がある。その際、格納先にアクセスするユーザのユーザＩＤやメールアドレスを登録することで、データを共有するユーザと格納先とを対応付けるといったことも行われているが、登録する情報を手で入力すると手間がかかる。本実施形態では、上述したように、複数のユーザがデータを共有する際に、携帯型の記録媒体（本実施形態ではＩＣカード）を用いてのユーザ識別情報の入手とそのユーザ識別情報及びアクセス情報の対応付けとが行われる。このＩＣカードからユーザ識別情報を読み取らせるので、ユーザと格納先との対応付けにＩＣカードを用いない場合（例えば手入力する場合）に比べて、複数のユーザがデータを共有する際の手間が少なくなる。
【００４９】
また、本実施形態では、携帯型の記録媒体を用いるので、例えばユーザが自宅や勤務先で利用する装置に記憶させている情報をユーザ識別情報として用いる場合に比べて、複数のユーザが一緒に行動している間に全員のユーザ識別情報の読み取りが行える可能性が高くなっている。
また、本実施形態では、ユーザ識別情報に対応付けられた格納先へのアクセスが行われるので、アクセス情報でのアクセスしかされない場合に比べて、異なる組のユーザ同士でデータを共有しているユーザによる共有可能なデータへのアクセスが容易になっている。
【００５０】
また、本実施形態では、出力されたグループ識別情報を指定することによる格納先へのアクセスが行われるので、例えば携帯型の記録媒体を持っていないときでも、グループ識別情報を覚えてさえいれば、格納先へのアクセスが可能となっている。
また、本実施形態では、出力先情報であるメールアドレスが表す出力先にアクセス情報が出力されるので、出力されたアクセス情報を参照可能な装置（例えばユーザ装置３０）による格納先へのアクセスが、その出力先へのアクセス情報の出力が行われない場合に比べて容易になっている。
【００５１】
［２］変形例
上述した実施形態は、本発明の実施の一例に過ぎず、以下のように変形させてもよい。また、上述した実施形態及び以下に示す各変形例は、必要に応じてそれぞれ組み合わせて実施してもよい。
【００５２】
［２−１］出力の時期
出力手段２０２は、実施形態では格納先が決定されたときにアクセス情報等を出力したが、これに限らない。出力手段２０２は、例えば、格納先に画像データが格納された場合に、上述した出力先情報が表す出力先に対してアクセス情報を出力する。この場合、出力手段２０２は、グループＩＤを制御テーブルに出力する際、メールアドレス、すなわち読取手段１０１によって読み取られた出力先情報も制御テーブルに出力する。
【００５３】
図１３は本変形例の制御テーブルの一例を表す。この制御テーブルには、グループＩＤ、カードＩＤ、パス情報、ＵＲＬ及びメールアドレスが互いに対応付けて格納されている。アクセス制御手段２０３は、画像データを格納先に格納すると、その格納先に対応するＵＲＬを出力手段２０２に供給する。出力手段２０２は、アクセス制御手段２０３からＵＲＬが供給されると、制御テーブルを参照し、供給されたＵＲＬに対応付けられているメールアドレスに対して、そのＵＲＬを電子メールに含めて出力する。本変形例では、ユーザが画像データを格納したときにＵＲＬを含む電子メールが出力されてくるので、ユーザが格納先に画像データを格納したときに、そのデータを共有する他のユーザがそのことに気付かないということが防がれる。
【００５４】
なお、上記の例ではグループに属するユーザ全員に電子メールが出力されたが、画像データの格納がユーザ識別情報を用いて行われた場合に、画像データを格納したユーザに対してはこの電子メールが出力されないようにしてもよい。その場合、アクセス制御手段２０３は画像データを格納したユーザのカードＩＤをＵＲＬとともに出力手段２０２に供給する。出力手段２０２は、ＵＲＬに対応付けられたメールアドレスのうち、ともに供給されたカードＩＤに対応付けられているものを除いたメールアドレスに対して上記の電子メールを出力する。これにより、画像データを格納したユーザ本人に対してはその旨を知らせる電子メールが送信されなくなる。
【００５５】
［２−２］各機能を実現する装置
図５に示す各手段は実施形態とは異なる装置によって実現されてもよい。
図１４は本変形例で実現される機能構成の例を表す。図１４（ａ）では、図５に表す読取手段１０１と、提示手段１０３と、アクセス手段１０４と、決定手段２０１と、出力手段２０２と、アクセス制御手段２０３とを備える画像処理装置１０ａが表されている。画像処理装置１０ａは、情報処理システム１ａが備える装置のうちの１つであり、ここでは他の装置は図示していない。この場合、画像処理装置１０ａが自身の記憶領域を格納先として画像データを格納する。また、画像処理装置１０ａは、他の画像処理装置１０ａやユーザ装置３０からの格納先へのアクセスを制御する。なお、画像処理装置１０ａだけをユーザが利用するようにしてもよく、その場合は、画像処理装置１０ａが図１４に表す各手段を実現する１つのシステムとしてみなされる。
【００５６】
図１４（ｂ）では、読取手段１０１と、提示手段１０３と、アクセス手段１０４と、決定手段２０１と、出力手段２０２とを備える画像処理装置１０ｂと、アクセス制御手段２０３を備える画像格納装置２０ｂとが表されている。これらの装置は、情報処理システム１ｂが備える装置である。この場合、画像データの格納先は画像格納装置２０ｂの記憶領域であるが、その格納先の決定やアクセス情報等の出力は画像処理装置１０ｂが行う。以上のように、情報処理システムが実現する各手段は、様々な装置によって実現されてもよい。
【００５７】
［２−３］携帯型の記録媒体
携帯型の記録媒体はＩＣカードに限らず、磁気カードであってもよいし、ＮＦＣの通信を行う機能を有するスマートフォン等であってもよい。また、ＱＲ（Quick Response）コード（登録商標）やバーコードが印刷されたカードであってもよい。その場合、図２に表すカードリーダ部１７には、ＱＲコードやバーコードを読み取る機能を有するものが用いられる。また、記録媒体に印刷された文字列を撮影した画像に対してＯＣＲ（Optical Character Reader）の処理を行い、認識された文字列をユーザ識別情報として読み取ってもよい。要するに、携帯型の記録媒体は、読み取り可能なユーザ識別情報が記録されており、且つ、ユーザが携帯して持ち歩ける大きさ及び重さのものであればよい。
【００５８】
［２−４］後からのユーザ識別情報の読み取り
例えばＩＣカード３を忘れたユーザやまだＩＣカード３を持っていないユーザ（これからＩＣカード３を取得する予定のユーザ）がいた場合に、それらのユーザは後からＩＣカード３を用いてユーザ識別情報を読み取らせてもよい。そのユーザは、提示されるグループＩＤを覚えておき、画像処理装置１０に対してグループＩＤを手で入力し、ＩＣカード３をカードリーダ部１７にかざす。画像処理装置１０の要求手段１０２は、読取手段１０１により読み取られたカードＩＤを、入力されたグループＩＤに対応付けるように要求する要求データを画像格納装置２０に送信する。
【００５９】
この要求データは画像格納装置２０の出力手段２０２に供給され、出力手段２０２は、要求データが表すグループＩＤ及びカードＩＤを制御テーブルに対して出力する。アクセス制御手段２０３は、出力されてきたグループＩＤに対応付けられるように、ともに出力されてきたカードＩＤを制御テーブルに反映する。これにより、後からユーザ識別情報を読み取らせたユーザによる自身のＩＣカード３を用いた格納先へのアクセスが行われる。
【００６０】
［２−５］共有するデータ
情報処理システムにおいて共有されるデータは写真を表す画像データに限らない。例えば動画を表す動画データであってもよいし、外出先で録音した音声を表す音声データであってもよい。要するに、グループで行動する複数のユーザが共有したいデータであれば、どのようなデータが共有されてもよい。
【００６１】
［２−６］発明のカテゴリ
本発明は、画像処理装置、画像格納装置及びユーザ装置等の情報処理装置や、これらの情報処理装置を備えるシステム（情報処理システム１がその一例）として捉えられる。また、本発明は、各情報処理装置が実施する処理を実現するための情報処理方法や、コンピュータであるこれらの情報処理装置を、上述した各手段として機能させるためのプログラムとしても捉えられる。このプログラムは、それを記憶させた光ディスク等の記録媒体の形態や、インターネット等の通信回線を介してコンピュータにダウンロード及びインストールさせて利用可能にするなどの形態で提供される。
【符号の説明】
【００６２】
１…情報処理システム、２…通信回線、３…ＩＣカード、４…デジタルカメラ、１０…画像処理装置、２０…情報格納装置、３０…ユーザ装置、１１、２１、３１…制御部、１２、２２、３２…記憶部、１３、２３、３３…通信部、１４、３４…表示部、１５、３５…操作部、１６…画像形成部、１７…カードリーダ部、１８…Ｉ／Ｆ部、１０１…読取手段、１０２…要求手段、１０３、３０１…提示手段、１０４、３０２…アクセス手段、２０１…決定手段、２０２…出力手段、２０３…アクセス制御手段。
【図１】
0006561468.tif 000002
【図２】
0006561468.tif 000003
【図３】
0006561468.tif 000004
【図４】
0006561468.tif 000005
【図５】
0006561468.tif 000006
【図６】
0006561468.tif 000007
【図７】
0006561468.tif 000008
【図８】
0006561468.tif 000009
【図９】
0006561468.tif 000010
【図１０】
0006561468.tif 000011
【図１１】
0006561468.tif 000012
【図１２】
0006561468.tif 000013
【図１３】
0006561468.tif 000014
【図１４】
0006561468.tif 000015